【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
複数の広告情報を、その広告の対象となる地域情報を含む広告属性情報とともに記憶する記憶手段と、
メール送信端末からメール送信相手の指定を受けた場合に、そのメール送信相手の位置を特定する特定手段と、
前記メール送信端末が指示する前記メール送信相手の属性を示す相手先属性情報及び前記特定手段により特定された位置情報に基づいて、前記記憶手段に記憶された広告属性情報を検索して広告情報を選択する選択手段と、
前記メール送信端末から前記メール送信相手に送信されるメールに対して、前記選択手段により選択された広告情報を挿入する広告挿入手段と、
を備えることを特徴とするメール広告管理装置。
【請求項２】
前記広告情報が挿入されたメールの送信回数を前記メール送信相手毎に管理し、その送信回数に応じてメール送信者に提供する報酬を管理する管理手段を更に備えることを特徴とする請求項１記載のメール広告管理装置。
【請求項３】
メール送信者の通信端末装置からメール送信相手の通信端末装置へ電子メールを送信する際に、広告主から依頼された広告情報の前記電子メールへの挿入をメール広告管理装置により管理するメール広告管理システムであって、
前記メール送信者の通信端末装置は、
複数のメール送信相手のメールアドレス情報を記憶したアドレス帳に対応付けて、各メール送信相手に対応する属性を示す相手先属性情報を登録する登録手段と、
前記前記アドレス帳に基づいて電子メールの送信相手を指定した場合に、その指定された送信相手に対応する前記相手先属性情報を前記メール広告管理装置に送信する送信手段と、を備え、
前記メール広告管理装置は、
複数の広告情報を、各広告の属性を示す広告属性情報とともに記憶する記憶手段と、
前記メール送信者の通信端末装置より相手先属性情報を受信した場合に、その相手先属性情報で示される属性と前記広告属性情報で示される属性とが合致する広告を前記記憶手段から検索する検索手段と、
前記メール送信者から前記メール送信相手に送信されるメールに対して、前記検索手段により検索された広告情報を挿入する広告挿入手段と、
を備えることを特徴とするメール広告管理システム。
【請求項４】
メール広告を管理するためのコンピュータが実行可能なプログラムを格納した記憶媒体であって、
複数の広告情報を、その広告の対象となる地域情報を含む広告属性情報とともに記憶するためのコンピュータが実行可能なプログラムコードと、
メール送信端末からメール送信相手の指定を受けた場合に、そのメール送信相手の位置を特定するためのコンピュータが実行可能なプログラムコードと、
前記メール送信端末が指示する前記メール送信相手の属性を示す相手先属性情報及び前記特定された位置情報に基づいて、前記記憶された広告属性情報を検索して広告情報を選択するためのコンピュータが実行可能なプログラムコードと、
前記メール送信端末から前記メール送信相手に送信されるメールに対して、前記選択された広告情報を挿入するためのコンピュータが実行可能なプログラムコードと、
を含むプログラムを格納したことを特徴とする記憶媒体。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項１記載の発明は、
複数の広告情報を、その広告の対象となる地域情報を含む属性情報とともに記憶する記憶手段（例えば、図１９に示すモバイル用広告情報テーブル１６ｍ）と、
メール送信端末からメール送信相手の指定を受けた場合に、そのメール送信相手の位置を特定する特定手段（例えば、図２に示すＣＰＵ１１）と、
前記メール送信端末が指示する前記メール送信相手の属性を示す相手先属性情報及び前記特定手段により特定された位置情報に基づいて、前記記憶手段に記憶された広告属性情報を検索して広告情報を選択する選択手段（例えば、図２に示すＣＰＵ１１及び図１６に示すステップＢ１２）と、
前記メール送信端末から前記メール送信相手に送信されるメールに対して、前記選択手段により選択された広告情報を挿入する広告挿入手段（例えば、図２に示すＣＰＵ１１）と、
を備えることを特徴としている。
【手続補正５】
【補正対象書類名】明細書
【補正対象項目名】００１４
【補正方法】変更
【補正の内容】
【００１４】
この請求項１記載の発明のメール広告管理装置によれば、記憶手段と、特定手段と、選択手段と、広告挿入手段とを備えることにより、メール送信端末から指定されたメール送信相手の位置を特定し、特定された位置情報に基づいて広告情報を選択し、メール送信端末からメール送信相手に送信されるメールに対して選択された広告情報を挿入することができるので、移動中でも移動位置に関連する広告情報を送信することができ、より有効で、即効性の有る広告情報を提供することができ、より高い宣伝効果が得られる。
【手続補正６】
【補正対象書類名】明細書
【補正対象項目名】００１５
【補正方法】変更
【補正の内容】
【００１５】
請求項３記載の発明は、
メール送信者の通信端末装置（例えば、図１に示す利用者端末３）からメール送信相手の通信端末装置（例えば、図１に示す携帯端末５）へ電子メールを送信する際に、広告主から依頼された広告情報の前記電子メールへの挿入をメール広告管理装置により管理するメール広告管理システム（例えば、図１に示すメール広告管理システム１００）であって、
前記メール送信者の通信端末装置は、
複数のメール送信相手のメールアドレス情報を記憶したアドレス帳に対応付けて、各メール送信相手に対応する属性を示す相手先属性情報を登録する登録手段（例えば、図９に示すアドレス帳テーブル３６ａ）と、
前記前記アドレス帳に基づいて電子メールの送信相手を指定した場合に、その指定された送信相手に対応する前記相手先属性情報を前記メール広告管理装置に送信する送信手段（例えば、図８に示す伝送制御部３４）と、を備え、
前記メール広告管理装置は、
複数の広告情報を、各広告の属性を示す広告属性情報とともに記憶する記憶手段（例えば、図４に示す広告情報テーブル１６ａ）と、
前記メール送信者の通信端末装置より相手先属性情報を受信した場合に、その相手先属性情報で示される属性と前記広告属性情報で示される属性とが合致する広告を前記記憶手段から検索する検索手段（例えば、図２に示すＣＰＵ１１及び図１６に示すステップＢ１２）と、
前記メール送信者から前記メール送信相手に送信されるメールに対して、前記検索手段により検索された広告情報を挿入する広告挿入手段（例えば、図２に示すＣＰＵ１１）と、
を備えることを特徴としている。
【手続補正７】
【補正対象書類名】明細書
【補正対象項目名】００１６
【補正方法】変更
【補正の内容】
【００１６】
この請求項３記載の発明のメール広告管理システムによれば、メール送信者の通信端末装置は、登録手段と、送信手段とを備え、メール広告管理装置は、記憶手段と、検索手段と、広告挿入手段とを備えることにより、メール送信相手の嗜好等を知っているメール送信端末のユーザが、送信するメールに挿入される広告内容を指示することができるので、それを受けたメール送信相手が広告主により管理されているウェブページにアクセスする可能性が高くなり、より高い宣伝効果を期待できるシステムを提供できる。また、メール送信相手が挿入された広告のウェブページにアクセスしたことを検出し、そのアクセス状況を管理することでができるので、アクセス状況に応じた各種サービスが可能となり、広告主、及びメール送信端末ユーザに対して広告を挿入したメールサービスの利用を促進するシステムが提供できる。
【手続補正８】
【補正対象書類名】明細書
【補正対象項目名】０１８４
【補正方法】変更
【補正の内容】
【０１８４】
【発明の効果】
請求項１及び４記載の発明によれば、メール送信端末から指定されたメール送信相手の位置を特定し、特定された位置情報に基づいて広告情報を選択し、メール送信端末からメール送信相手に送信されるメールに対して選択された広告情報を挿入することができるので、移動中でも移動位置に関連する広告情報を送信することができ、より有効で、即効性の有る広告情報を提供することができ、より高い宣伝効果が得られる。
【手続補正９】
【補正対象書類名】明細書
【補正対象項目名】０１８５
【補正方法】削除
【補正の内容】
【手続補正１０】
【補正対象書類名】明細書
【補正対象項目名】０１８６
【補正方法】削除
【補正の内容】
【手続補正１１】
【補正対象書類名】明細書
【補正対象項目名】０１８７
【補正方法】削除
【補正の内容】
【手続補正１２】
【補正対象書類名】明細書
【補正対象項目名】０１８８
【補正方法】削除
【補正の内容】
【手続補正１３】
【補正対象書類名】明細書
【補正対象項目名】０１８９
【補正方法】変更
【補正の内容】
【０１８９】
請求項２記載の発明によれば、広告を挿入したメールの送信回数に応じて、メール送信者への報酬を与えることができるので、メール送信者によるメールへの広告挿入に積極性が増し、より多くの広告をメールに挿入することが可能になる。
【手続補正１４】
【補正対象書類名】明細書
【補正対象項目名】０１９０
【補正方法】変更
【補正の内容】
【０１９０】
請求項３記載の発明によれば、メール広告管理システムにおいて、メール送信相手の嗜好等を知っているメール送信端末のユーザが、送信するメールに挿入される広告内容を指示することができるので、それを受けたメール送信相手が広告主により管理されているウェブページにアクセスする可能性が高くなり、より高い宣伝効果を期待できるシステムを提供できる。また、メール送信相手が挿入された広告のウェブページにアクセスしたことを検出し、そのアクセス状況を管理することでができるので、アクセス状況に応じた各種サービスが可能となり、広告主、及びメール送信端末ユーザに対して広告を挿入したメールサービスの利用を促進するシステムが提供できる。